(57)【要約】【課題】  一体成形が容易なブロック形状であるのは勿論のこと、流水等に対して安定した護岸構造にできるとともに、植物や魚介類や鳥類等に対して優れた生態環境を与えることができ、しかも植生に好適な親水性を維持しながら人によっても歩行しやすい護岸面にできる、生態系保全・再生護岸ブロックとそれを用いた生態系保全・再生護岸構造物を提供する。【解決手段】  偏平な下盤部１と左右に離れた複数の中間台部２・３と偏平な上盤部４とを一体に成形し、下盤部と上盤部との間に、前後に貫通する中央空間６及び左右両側空間７・８を形成するとともに、下盤部と上盤部とに、左右に離れた中間台部の間で上下に貫通する下開口部９と上開口部１０を設けたことを特徴とする【選択図】  図１
2005220690.tif 000002
【特許請求の範囲】
【請求項１】
偏平な下盤部と左右に離れた複数の中間台部と偏平な上盤部とを一体に成形し、下盤部と上盤部との間に前後に貫通する空間を形成するとともに、下盤部と上盤部とに、左右に離れた中間台部の間で上下に貫通する上下の開口部を設けたことを特徴とする生態系保全・再生護岸ブロック。
【請求項２】
下盤部の開口部は孔であることを特徴とする請求項１に記載の生態系保全・再生護岸ブロック。
【請求項３】
上盤部の開口部は上盤部の後端にも開口する切欠凹部であることを特徴とする請求項１又は２に記載の生態系保全・再生護岸ブロック。
【請求項４】
偏平な下盤部と左右に離れた複数の中間台部と偏平な上盤部とを一体に成形し、下盤部と上盤部との間に前後に貫通する空間を形成するとともに、下盤部に、魚の住みかとなる淵穴を形成するための開口部を設け、また上盤部には、淵穴への出入り口となる切欠部を形成したことを特徴とする生態系保全・再生護岸ブロック。
【請求項５】
上盤部を、下盤部に対して前端から後端に向かって次第に低くなるように傾斜させたことを特徴とする請求項１ないし４のいずれかに記載の生態系保全・再生護岸ブロック。
【請求項６】
上盤部と下盤部を平行にしたことを特徴とする請求項１ないし３のいずれかに記載の生態系保全・再生護岸ブロック。
【請求項７】
中間台部は、その前後方向の中間部分が欠如していることを特徴とする請求項１ないし６のいずれかに記載の生態系保全・再生護岸ブロック。
【請求項８】
左右の中間台部の間に形成される中間の空間を、その左右外側に形成される左右の空間よりも幅員を大きくしたことを特徴とする請求項１ないし７のいずれかに記載の生態系保全・再生護岸ブロック。
【請求項９】
下盤部の下面に根腐れ防止用排水溝を形成したことを特徴とする請求項１ないし８のいずれかに記載の生態系保全・再生護岸ブロック。
【請求項１０】
上盤部の少なくとも上面に無数のギザギザを形成したことを特徴とする請求項１ないし９のいずれかに記載の生態系保全・再生護岸ブロック。
【請求項１１】
下盤部の角部をカットし、そこにブロック同士を連結する連結金具を埋設したことを特徴とする請求項１ないし１０のいずれかに記載の生態系保全・再生護岸ブロック。
【請求項１２】
請求項１ないし１１のいずかに記載の生態系保全・再生護岸ブロックの多数を左右前後に敷き並べて構築されていることを特徴とする生態系保全・再生護岸構造物。
【請求項１３】
左右の生態系保全・再生護岸ブロック同士では、それらの左右両側の空間が併合し、前後の生態系保全・再生護岸ブロック同士では、それらの中間の空間同士及び左右両側の空間同士が前後に連通していることを特徴とする請求項１２に記載の生態系保全護岸構造物。
【請求項１４】
生態系保全・再生護岸ブロックの下に防砂マットを敷設したことを特徴とする請求項１２又は１３に記載の生態系保全・再生護岸構造物。
【請求項１５】
請求項４の生態系保全・再生護岸ブロックと淵穴用筒体とを用い、該淵穴用筒体を下盤部の開口部に嵌合又は一致させて、該開口部の下側に淵穴用筒体による淵穴を形成したことを特徴とする請求項１２〜１４のいずれかに記載の生態系保全・再生護岸構造物。
【発明の詳細な説明】
【技術分野】
【０００１】
本発明は、河川や湖沼等において、植物や魚介類や鳥類等の生態系の環境を保全・再生しながら護岸できる生態系保全・再生護岸ブロックとそれを用いた生態系保全・再生護岸構造物に関する。
【背景技術】
【０００２】
この種の護岸ブロックとして、特許文献１（特開平１０−１２１４３７号公報）に記載のものがある。この護岸ブロックは、全体として有底の箱状で、前面及び左右側面が開口し後面が閉じた空洞を有し、底面が水辺の法面の傾斜に沿う平面、上面がほぼ水平で、前面には、上下のブロック同士を係合させて階段状にするための係合凹部を形成し、上面には、植生床や排水路となる皿状凹部を形成したものである。
【０００３】
しかし、これによると次のような問題点がある。
（１）あたかもコンクリート一体成形品のように図示されているが、空洞を有する複雑な箱状ブロックであるため、一度のコンクリート打設で製品化できる可能性が低く、数箇所による継ぎ合わせ等によらなければならないのが実態と思われる。従って、それに要する経費や強度に問題がある。
（２）有底の箱状ブロックであり、その箱底部で基礎工を被う形態で、しかも基礎工は栗石上に捨てコンクリートを打設したものであるため、基礎工との間で気密性（水密）が発揮されて、地下水が抜け出ることができず、間隙水圧が上がって護岸法面を圧迫し、流速作用で生じる揚圧力と合算して護岸構造を不安定にする。また、構造上湧水機能を阻止するため、生態系にとって水温変化からの回避が阻止される。
（３）法留ブロックの敷設を必要としているため、これが護岸構造の弱点となり、法留ブロックが河床の洗掘に倒壊する可能性が高いので、護岸構造が破壊に至り不安定となる。
（４）植生床となるブロック上面の凹部は浅皿状となっており、しかもそこに孔が設けられていることから、排水効果が先行し保水機能が減衰する可能性が高い。また、洪水流に伴う急激な流速に対しては、孔が設けられていたとしても、植生の根が頑丈に絡まるまでは、流速によるせん断力及び揚力・抗力や流水による剥離作用などの力学的力に不安定となる可能性が高い。また、陸生の芝草は、長時間の水没に枯死してしまう特性をもっている。
（５）箱状ブロックに設けられた皿状凹部及び空洞内に玉石を敷詰めても、皿状凹部に関しては高流速によって流失してしまう可能性が高い。また、空洞内に詰め込んだ玉石の間隙の大小によって、対象魚種を特定することが極めて困難であり、適否の判断が難しい。
（６）箱状ブロックの空洞内は日陰構造となるとともに、ブロック内に発生する流速が速くなり過ぎるきらいがある。
（７）ブロック内は空洞のまま又は玉石詰となっており、皿状凹部に植栽したとしても、餌の繁殖環境を創出するとは考えにくい。
（８）鳥類営巣環境改善機能を有するとは言うものの、適用できる種が限られると思われ、しかも、植生できるのは芝草のみであるから、営巣の可能性としては極めて低いと考えられる。
（９）皿状凹部に玉石を敷並べると、護岸上面の凹凸が複雑となり、とても歩行が困難となる。たとえ凹凸部に芝を張ったとしても、流速で流失したり、雑草化して踏み足場となる環境の保持が困難と考えられる。
【特許文献１】特開平１０−１２１４３７号公報
【発明の開示】
【発明が解決しようとする課題】
【０００４】
本発明の課題は、このような問題が全くない、つまり一体成形が容易なブロック形状であるのは勿論のこと、流水等に対して安定した護岸構造にできるとともに、植物や魚介類や鳥類等に対して優れた生態環境を与えることができ、しかも植生に好適な親水性を維持しながら人によっても歩行しやすい護岸面にできる、生態系保全・再生護岸ブロックとそれを用いた生態系保全・再生護岸構造物を提供することにある。
【課題を解決するための手段】
【０００５】
本発明の第１の形態の生態系保全・再生護岸ブロックは、植栽できるようにしたもので、偏平な下盤部と左右に離れた複数の中間台部と偏平な上盤部とを一体に成形し、下盤部と上盤部との間に前後に貫通する空間を形成するとともに、下盤部と上盤部とに、左右に離れた中間台部の間で上下に貫通する上下の開口部を設けたことを特徴とする。
【０００６】
このブロックの場合、偏平な下盤部と同じく偏平な上盤部との間の空間は、魚介類が回避して生息するに適した回避生息空間になるとともに、水流の流速を減速したり雨水等の排水路にもなる。また、下側の開口部、つまり下盤部の開口部は、そこに土砂や小石等を詰めることで基礎地盤へ根が張る植生床となるとともに、地下水や間隙水圧の上下の流れを許容することでブロックの安定性を高め、また上側の開口部、つまり上盤部の開口部は植物繁殖のための光合成を促し、詰め土及び植栽の作業性を容易にする。
【０００７】
このブロックでは、下盤部の開口部は孔（円形以外に菱形でもよい）とし、上盤部の開口部は、上盤部の後端にも開口する切欠凹部とする。
【０００８】
本発明の第２の形態の生態系保全・再生護岸ブロックは、魚にとって絶好の避難・逃避場所を提供できる淵穴用ブロックとしたもので、偏平な下盤部と左右に離れた複数の中間台部と偏平な上盤部とを一体に成形し、下盤部と上盤部との間に前後に貫通する空間を形成するとともに、下盤部に、魚の住みかとなる淵穴を形成するための開口部を設け、また上盤部には、淵穴への出入り口となる切欠部を形成したことを特徴とする。
【０００９】
このブロックの場合、下盤部と上盤部との間は上記と同様であるが、下盤部の開口部の下側に淵穴を形成でき、また上盤部の切欠部は淵穴へ通ずる通路の出入り口となる。
【００１０】
護岸への敷設に当たり法面用のブロックとする場合には、上盤部を、下盤部に対して前端から後端に向かって次第に低くなるように傾斜させ、法肩（天端）又は法尻用ブロックとする場合には、上盤部と下盤部を平行にする。
【００１１】
中間台部は、その前後方向の中間部分が欠如した形態とすると、その欠如部分で左右方向の流れが形成される。
【００１２】
左右の中間台部の間に形成される中間の空間を、その左右外側に形成される空間よりも幅員を大きくすれば、敷設された左右のブロック同士では、互いの左右の空間が併合して中間の空間と幅員が同程度となる。
【００１３】
下盤部の下面に根腐れ防止用排水溝を形成し、また上盤部の少なくとも上面に無数のギザギザを形成するとよい。ギザギザを形成すると、人が歩行する際の滑り止めになり、日光の乱反射により温度上昇を抑えるとともに藻類の付着を促進できる。
【００１４】
下盤部の角部をカットし、そこにブロック同士を連結する連結金具を埋設することで、ブロック同士が結束して安定性を高める。
【００１５】
左右のブロック同士では、それらの左右両側の空間が併合し、前後のブロック同士では、それらの中間の空間同士及び左右両側の空間同士が前後に連通することで、全体として一様な護岸構造となる。
ブロックの下には防砂マットを敷設する。
【００１６】
上記第２の形態の生態系保全・再生護岸ブロック（淵穴用ブロック）と淵穴用筒体とを用い、該淵穴用筒体を下盤部の開口部に嵌合又は一致させて、該開口部の下側に淵穴用筒体による淵穴を形成することができる。
【発明の効果】
【００１７】
本発明によれば、上述した従来例の問題点を一掃できる次のような効果がある。
（１）ブロック製造の容易性・高強度
単純なブロック形状であるため、鋼製型枠を用いて一度のコンクリート打設で製造でき、その製造が容易であるとともに、偏平な下盤部と同じく偏平な上盤部とが複数の中間台部で一体化されているため、強度も高い。
（２）護岸構造物の安定性
下盤部と上盤部とに、上下の流水を許容する開口部が有り、下盤部の開口部が地下水や間隙水圧の上下の流れを許容するため、ブロックの安定性が良い。
更に、ブロック同士を連結金具で連結することで、屈撓性に富み、安定性が一層高い護岸構造にできる。
（３）法尻構造の安定性
ブロック同士を連結して法面から河床に連続して敷設できるので、河床の洗掘がおきてもブロックが追随し、護岸構造の安定性に影響を与えない。
（４）植栽に対する保水機能と安定性
下盤部に設けられた開口部（孔等）が基礎地盤へ根が張る植生床となり、その回りで刈り草等がリング状に結束して、保水性を適度に維持する乾燥防止用の囲い構造となるため、植生に対する保水機能が高い。しかも、植生の安定性については、下盤部の下に防砂マットを敷設すると、その下の基礎地盤と合体するので剥離したりすることがない。
なお、根部が未成熟期であっても、各ブロックにおいて上盤部が下盤部に対して傾斜していて、その間の空間が上下方向に次第に狭くなっているため、流速が早くならない構造となっており、さらに下盤部の開口部の周囲にできる刈草等のリングによって、さらに安定性が確保される。
（５）魚介類の産卵・生息機能
魚種ごとの適応性に応じて、ブロックへの詰め込み土砂の種類や植生の種類を臨機に適宜選択して行うことができる。例えば、湿生植物（ヤナギ等）、抽水植物（ヨシ、マコモ等）、沈水植物（バイカモ、ヤナギモ等）を植栽すると、昆虫等の餌環境やフナ類、コイ類、ワカサギ、イトヨ、トミヨ、エゾトミヨ、キタノトミヨなどへの産卵環境を創出できる。更に、砂礫を詰め込むと、ヤツメ類、カジカ類、ウグイ類、アメマス、ウキゴリなどが産卵できる環境を創出できる。
（６）魚の安定生息機能
生態系保全・再生護岸ブロックに嵌合して設置する淵穴は、自然河岸に見られる淵機能の創出を図ったもので、魚が容易に、越冬・水温変化・洪水時の高流速・外敵等から避難・回避できる安定生息機能が創出される。
（７）野鳥の繁殖・生息機能
生態系保全・再生護岸ブロックに、ヤナギ、ヨシ等を植栽することによって、これらの環境に依存するキジバト、ヨシキリ類、カワラヒワ、オオジュリンなどの多様な野鳥の繁殖・生息環境を創出できる。
（８）景観の再生・創出
生態系保全・再生護岸ブロックに、ヤナギ、ヨシ等を植栽することによって、殺風景なコンクリート面が緑化され、景観の再生や創出ができる。
【発明を実施するための最良の形態】
【００１８】
次に、本発明の実施例を図面に基づいて詳細に説明する。
【実施例１】
【００１９】
実施例１では、護岸の法面に敷設する法面用ブロックＡと、法肩（天端）及び法尻に敷設する法肩・法尻用ブロックＢとの２つのタイプのブロックを用いるが、法面用ブロックＡが主たるもので、法肩・法尻用ブロックＢはそれと形状が僅かに異なるだけであるので、先に法面用ブロックＡについて説明する。
【００２０】
法面用ブロックＡは、図１〜図７に示すように、下盤部１と、互いに平行な左右の中間台部２・３と、下盤部１に対して前端から後端に向かって次第に低くなる傾斜した上盤部４とを鉄筋入りコンクリートで一体成型したものである。下盤部１と上盤部４とは偏平な同じ大きさの横長長方形状であり、左右の中間台部２・３は同じ大きさの前後に長い長方形状である。下盤部１の４つの角部は全て斜めにカットされ、そのカットされた角部には、Ｕ形部分を突出させた連結金具５が埋設されている。また、上盤部４については、その前端の左右の角部が斜めにカットされ、後端の左右の角部が、連結金具５によるブロック同士の連結作業を容易にするためＬ形にカットされている。
【００２１】
左右の中間台部２・３は、上盤部４を上記のように傾斜させるため、前端から後端に向かって高さが次第に低くなって、下盤部１及び上盤部４の前後端に達しているが、その前後方向の中間部分は欠如した中間欠如部分２ａ・３ａとなっている。
【００２２】
また、下盤部１と上盤部４との間は、魚介類が生息するための回避生息空間となるが、左右の中間台部２・３は、図４に示すように互いに間隔Ｓ１をおき、しかも下盤部１及び上盤部４の左辺縁及び右辺縁よりも左右同じ間隔Ｓ２だけ内側に寄ったところに設けられているため、左右の中間台部２・３の間が前後に抜ける角筒状の中央空間６となり、左右の中間台部２・３の左右両側が、側面を開口したまま前後に抜ける溝状の左右両側空間７・８となる。ここで、Ｓ１＞Ｓ２の関係になっているため、中央空間６は左右両側空間７・８よりも幅員が大きい。これら中央空間６と左右両側空間７・８とは、中間台部２・３の中間欠如部分２ａ・３ａによって中間が連通していることになる。
【００２３】
下盤部１の中央（左右の中間台部２・３の間）には、大きく開口した円形孔である下開口部９が形成され、また上盤部４には、この下開口部９の真上から平面Ｕ形に開口するとともに、そのＵ形開口部分の端で左右に長方形に拡がり上盤部４の後端面で大きく開口する切欠凹部である上開口部１０が形成されている。
【００２４】
下盤部１の下面には、下開口部９の周縁から下盤部１の前端中央へ達する細長い根腐れ防止用排水溝１１が形成され、また上盤部４の上面全域には、無数のギザギザ（キズ）１２が線状に形成されている。ギザギザ１２は、上盤部４の更に側面にも部分的又は全面的に形成するのが良いが、ギザギザ１２を全く形成しない場合もある。
【００２５】
このような法面用ブロックＡに対して、法肩・法尻用ブロックＢは、図８〜図１１に示すように、上盤部４を下盤部１に対して傾斜させずに平行（水平）にしたことが相違するだけで、その他については実質的に同じである。
【００２６】
寸法（単位はｍｍ）の一例を示すと、下盤部１及び上盤部４の左右長１８００、それらの前後長１２００、それらの厚さ１５０、左右の中間台部２・３の左右幅３００、中央空間６の左右幅７００、左右両側空間７・８の左右幅２５０、下開口部９の直径６００、上開口部１０のＵ形部分の幅４００、その後端開口幅７００で、これらの寸法は法面用ブロックＡと法肩・法尻用ブロックＢで共通である。上盤部４が傾斜している法面用ブロックＡの場合、下盤部１の下面から上盤部４の上面前端までの高さ（最大高さ）が６００、同じく上盤部４の上面前端までの高さ（最小高さ）が３５２である。上盤部４が水平な法肩・法尻用ブロックＢの場合、下盤部１の下面から上盤部４の上面までの高さが一律に４５０である。
【００２７】
図１２及び図１３に、上記のような法面用ブロックＡと法肩・法尻用ブロックＢとを用いて河川護岸として構築した本発明による生態系保全・再生護岸構造物の一例を示す。
【００２８】
法肩、法面及び法尻の基礎整備をして吸い出し防止のために防砂マット（防砂シート）１３を敷設してから、その防砂マット１３上で法面には法面用ブロックＡを左右前後に敷き並べ、法肩と法尻には法肩・法尻用ブロックＢを左右前後に敷き並べる。隣接するブロック同士は連結金具５を用いて互いに連結する。
【００２９】
このように敷設された法面用ブロックＡ及び法肩・法尻用ブロックＢは、左右に並ぶブロック相互において左右両側空間７・８が併合し、それが前後に並ぶブロック相互で連通するとともに、前後に並ぶブロック相互で中央空間６が連通し、しかもこれらの空間が、中間台部２・３の中間欠如部分２ａ・３ａによって左右にも連通する。法面用ブロックＡは上盤部４が傾斜しているため、その前端と後端で法面用ブロックＡ同士が段差を形成し、基礎法面の勾配よりも緩い勾配の階段状となる。法肩・法尻用ブロックＢは上盤部４が水平であるため、法肩・法尻用ブロックＢ同士も水平となる。
【００３０】
上記のように連通した中央空間６及び左右両側空間７・８は、魚介類が回避して生息するに適した回避生息空間になるとともに、水流の流速を減速したり雨水等の排水路にもなる。また、下開口部９に土を詰めて水生植物や草花を植栽することにより、上開口部１０から伸びて成長する恰好の植生環境となる。この場合、図１４及び図１５に示すように、土を詰めた下開口部９の回りに、乾燥した刈草等を筵状に編み上げて筒状に囲めば、植生の乾燥防止となるとともに、根付いた後は勿論のこと根付くまでにも魚にとっては恰好の住みかとなり、また廃棄処理に困っている刈草の有効利用も図れる。下盤部１の下面には根腐れ防止用排水溝１１があるため、根腐れを防止できる。
【００３１】
上盤部４の上面、更には側面のギザギザ１２は、人が歩行する際の滑り止めになり、日光の乱反射により温度上昇を抑えるとともに藻類の付着を促進できる。
【００３２】
護岸構造全体としては、個々のブロック自体の安定性が良いのに加え、水流の流速を減速する効果が大であり、しかも下開口部９から基礎地盤へ植物が根付くので、安定性が高く生態系の保全・再生環境としても、また自然環境として景観も良好な護岸構造となる。
【実施例２】
【００３３】
実施例２では、法面用ブロックＡと法肩・法尻用ブロックＢの他に更に淵穴用ブロックＣを用いるもので、図１６〜図１９にその淵穴用ブロックＣを示す。
【００３４】
淵穴用ブロックＣは、その下盤部１については法面用ブロックＡのものと同じであるが、上盤部４が法面用ブロックＡのものとは異なり、上開口部１０に代え、上盤部４の後端部に、左右二箇所の凸部１４・１５を左右の中間台部２・３と一体に残して切欠部１６を形成したものである。切欠部１６は、左右の凸部１４・１５によって、これらの中間と左右両側とに分けられた恰好になっている。この切欠部16が法面用ブロックＡの切欠部10に比べて小さくなっているのは魚にとって不都合な直射日光の回避、および淵穴17に堆積する土砂を軽減する効果がある。
【００３５】
図２０及び図２１は、淵穴用ブロックＣも用いて構築した生態系保全・再生護岸構造物の一例を示す。この場合、淵穴用ブロックＣと共に図２２に示すような淵穴用筒体ｄを用いる。淵穴用筒体ｄは、下盤部１の下開口部９に嵌合する大きさの上下両端が開口した円筒体（例えば、直径５５０ｍｍ、長さ１０００ｍｍ）である。
【００３６】
淵穴用ブロックＣは、図２０に示すように、基礎法面の一部分について法面用ブロックＡに代えて敷設するが、その前に基礎地盤に穴を掘って淵穴用筒体ｄを埋めておいてから、淵穴用ブロックＣの下開口部９を図２１及び図２３に示すように淵穴用筒体ｄと嵌合させて淵穴用ブロックＣを敷設し、各淵穴用ブロックＣの下盤部１の下側に淵穴用筒体ｄによる淵穴１７を形成する。
【００３７】
前後に並ぶ淵穴用ブロックＣ同士の間、及び淵穴用ブロックＣとこれに隣接する法面用ブロックＡの間には、淵穴用ブロックＣの切欠部１６による横長の開口が形成されるので、この開口は、魚にとって淵穴１７へ通ずる出入り口となる。淵穴１７は、魚の越冬や水温変化・直射日光・洪水流・外敵等からの絶好の避難・逃避場所となる。また中間切欠部２ａ・３ａにより流水が継続されることから、淵穴１７の水塊に餌が供給され、水質の嫌気が起こらない。
【産業上の利用可能性】
【００３８】
以上、本発明の好適例について説明したが、中間台部２・３の数を増やしてブロックの左右長さを実施例よりも長くすることができる。また、図１２及び図１３ではブロックを整然と揃えて敷設したが、千鳥状配置にしてもよい。
【図面の簡単な説明】
【００３９】
【図１】本発明の実施例である法面用ブロックの正面側斜視図である。
【図２】その後面側斜視図である。
【図３】その裏側の斜視図である。
【図４】その正面図である。
【図５】その側面図である。
【図６】その上盤部の上面図である。
【図７】その下盤部の下面図である。
【図８】本発明の実施例である法肩・法尻用ブロックの正面側斜視図である。
【図９】その後面側斜視図である。
【図１０】その正面図である。
【図１１】その側面図である。
【図１２】法面用ブロックと法肩・法尻用ブロックとを用いて構築した本発明による生態系保全・再生護岸構造物の一例の断面図である。
【図１３】その平面図である。
【図１４】法面用ブロックへの植生例を示す正面側斜視図である。
【図１５】同じく背面側斜視図である。
【図１６】本発明の実施例である淵穴用ブロックの上盤部の平面図である。
【図１７】同じく下盤部の平面図である。
【図１８】淵穴用ブロックの側面図である。
【図１９】同じく正面図である。
【図２０】この淵穴用ブロックと法面用ブロックと法肩・法尻用ブロックとを用いて構築した本発明による生態系保全・再生護岸構造物の一例の平面図である。
【図２１】その部分断面図である。
【図２２】淵穴用ブロックと共に用いる淵穴用筒体の斜視図である。
【図２３】これら淵穴用ブロックと淵穴用筒体とを組み合わせた平面図である。
【符号の説明】
【００４０】
Ａ  法面用ブロック
Ｂ  法肩・法尻用ブロック
Ｃ  淵穴用ブロック
ｄ  淵穴用筒体
１  下盤部
２・３  中間台部
２ａ・３ａ  中間欠如部分
４  上盤部
５  連結金具
６  中央空間
７・８  左右両側空間
９  下開口部
１０  上開口部
１１  根腐れ防止用排水溝
１２  ギザギザ
１３  防砂マット
１４・１５  凸部
１６  切欠部
１７  淵穴
【図１】
2005220690.tif 000003
【図２】
2005220690.tif 000004
【図３】
2005220690.tif 000005
【図４】
2005220690.tif 000006
【図５】
2005220690.tif 000007
【図６】
2005220690.tif 000008
【図７】
2005220690.tif 000009
【図８】
2005220690.tif 000010
【図９】
2005220690.tif 000011
【図１０】
2005220690.tif 000012
【図１１】
2005220690.tif 000013
【図１２】
2005220690.tif 000014
【図１３】
2005220690.tif 000015
【図１４】
2005220690.tif 000016
【図１５】
2005220690.tif 000017
【図１６】
2005220690.tif 000018
【図１７】
2005220690.tif 000019
【図１８】
2005220690.tif 000020
【図１９】
2005220690.tif 000021
【図２０】
2005220690.tif 000022
【図２１】
2005220690.tif 000023
【図２２】
2005220690.tif 000024
【図２３】
2005220690.tif 000025